(57)【要約】【課題】  タップオフ本体の取付けが確実に行われたか否かの確認を、その場で行うことができなかった。【解決手段】  本発明のＣＡＴＶ機器は、入力側端子と出力側端子とを短絡可能な短絡材を備えた蓋と、前記蓋に脱着可能であり、高周波系路、電源系路を備えた本体とから構成されたＣＡＴＶ機器において、報知器が前記蓋又は機器本体にそれらの外部から確認できるように設けられ、該報知器は蓋から機器本体が取り外されることにより短絡材が蓋の入力側端子と出力側端子に接触すると短絡材を流れる高周波信号又は電源電圧によって作動し、蓋に機器本体が取付けられることにより短絡材が蓋の入力側端子と出力側端子から離れて機器本体の高周波系路と電源電圧系路が蓋の入力側端子と出力側端子に接触すると非作動となって、機器本体の高周波系路と電源電圧系路が蓋の入力側端子と出力側端子に接触したことを確認可能としたものである。【選択図】図１
2005167673.tif 000002
【特許請求の範囲】
【請求項１】
入力側端子と出力側端子とを短絡可能な短絡材を備えた蓋と、前記蓋に脱着可能であり、高周波系路、電源系路を備えた機器本体とから構成され、
前記蓋に機器本体が取付けられると、前記短絡材が機器本体により押されて蓋の入力側端子と出力側端子の双方又はいずれか一方から離れ、機器本体の高周波系路と電源電圧系路が入力側端子と出力側端子の双方に接触し、
前記蓋から機器本体を取り外すと、機器本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ機器において、
報知器が前記蓋又は機器本体にそれらの外部から確認できるように設けられ、該報知器は、蓋から機器本体が取り外されることにより短絡材が蓋の入力側端子と出力側端子に接触すると短絡材を流れる高周波信号又は電源電圧によって作動し、蓋に機器本体が取付けられることにより短絡材が蓋の入力側端子と出力側端子から離れて機器本体の高周波系路と電源電圧系路が蓋の入力側端子と出力側端子に接触すると非作動となって、機器本体の高周波系路と電源電圧系路が蓋の入力側端子と出力側端子に接触したことを確認可能であることを特徴とするＣＡＴＶ機器。
【発明の詳細な説明】
【技術分野】
【０００１】
本発明は、ＣＡＴＶ伝送路において、電源電圧及び高周波信号を分岐・分配するＣＡＴＶ用タップオフ、分岐・分配器等のＣＡＴＶ機器に関するものである。
【背景技術】
【０００２】
ＣＡＴＶ機器の一つであるタップオフは図６（ａ）に示すように、蓋Ａとタップオフ本体Ｈとから構成されている。蓋ＡのケースＢ内には入力側同軸ケーブルを接続可能な入力側端子Ｃと接続された入力側ターミナル端子Ｄと、出力側同軸ケーブルを接続可能な出力側端子Ｅと接続された入力側ターミナル端子Ｆと、両端子を短絡可能な金属製の短絡材Ｇとを備えている。前記短絡材Ｇは軸方向両端部が下向きに傾斜する板バネであって、タップオフ本体Ｈを装着しないときは図６（ｂ）に示すように一端が入力側ターミナル端子Ｄに接触し、他端が出力側ターミナル端子Ｆに接触して、入力側端子Ｃと出力側端子Ｅとを短絡するようにしてある。
【０００３】
また、図６（ａ）に示すように、タップオフ本体Ｈを蓋Ａに装着すると、タップオフ本体Ｈのプリント基板Ｉによって蓋Ａの押し具Ｊが押し上げられ、その押し具Ｊにより短絡材Ｇの両端部が押し上げられて、入力側端子Ｃ、出力側端子Ｅと電気的に切り離されるようにしてある。
【発明の開示】
【発明が解決しようとする課題】
【０００４】
図６（ａ）（ｂ）に示すタップオフを分岐数の異なるものと交換したり、ｄＢ値の異なるものと交換したり、ＣＡＴＶ線路を工事したりする場合は、タップオフ本体Ｈを蓋Ａから取り外し、交換や工事終了後にタップオフ本体Ｈを蓋Ａに取付けている。この場合、タップオフ本体Ｈの取付けが確実に行われ、短絡材Ｇの両端部が入力側端子Ｃ、出力側端子Ｅと電気的に切り離されたか否かを、その場で確認することができないため、取付け不良があっても異常が発見されてからでないと気が付かず、外部ノイズの侵入により画像劣化が発生したりして、加入者に迷惑をかけることがあった。
【課題を解決するための手段】
【０００５】
本発明のＣＡＴＶ機器は、蓋と機器本体とから構成されるＣＡＴＶ機器において、機器本体を蓋に取付けたときに機器本体の高周波系路と電源電圧系路が蓋の入力側端子と出力側端子に接触したことをＣＡＴＶ機器の外部から視覚や聴覚で確認することができるようにしたものである。
【０００６】
本件出願のＣＡＴＶ機器は、入力側端子と出力側端子とを短絡可能な短絡材を備えた蓋と、前記蓋に脱着可能であり、高周波系路、電源系路を備えた機器本体とから構成され、
前記蓋に機器本体が取付けられると、前記短絡材が機器本体により押されて蓋の入力側端子と出力側端子の双方又はいずれか一方から離れ、機器本体の高周波系路と電源電圧系路が入力側端子と出力側端子の双方に接触し、
前記蓋から機器本体を取り外すと、機器本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ機器において、
報知器が前記蓋又は機器本体にそれらの外部から確認できるように設けられ、該報知器は、蓋から機器本体が取り外されることにより短絡材が蓋の入力側端子と出力側端子に接触すると短絡材を流れる高周波信号又は電源電圧によって作動し、蓋に機器本体が取付けられることにより短絡材が蓋の入力側端子と出力側端子から離れて機器本体の高周波系路と電源電圧系路が蓋の入力側端子と出力側端子に接触すると非作動となって、機器本体の高周波系路と電源電圧系路が蓋の入力側端子と出力側端子に接触したことを確認可能としたものである。
【発明の効果】
【０００７】
本件出願のＣＡＴＶ機器は次のような効果がある。
（１）蓋又は機器本体にそれらの外部から確認できるように報知器を備えたので、蓋へ機器本体を取付けたときに、機器本体の高周波系路と電源電圧系路が蓋の入力側端子と出力側端子に接触したことをＣＡＴＶ機器の外部から確認することができる。
（２）報知器が短絡材を流れる高周波信号又は電源電圧によって作動するので、報知器を作動させる電源を別途設ける必要がなく、報知器を設けてもＣＡＴＶ機器が格別大型化することもない。
【発明を実施するための最良の形態】
【０００８】
（実施形態１）
本発明のＣＡＴＶ機器の実施形態の一例を、タップオフを例にして図面に基づいて詳細に説明する。図１に示すタップオフ１は蓋２とそれに脱着可能な機器本体（タップオフ本体）３とから構成されている。蓋２の外周縁部の数箇所には下方開口の螺子孔２ａが形成されており、その螺子孔２ａにタップオフ本体３の螺子孔３ａに差し込んである螺子４をねじ込むと、タップオフ本体３が蓋２に装着され、タップオフ本体３が蓋２に装着された状態で螺子４を緩めるとタップオフ本体３が蓋２から外れるようにしてある。
【０００９】
前記蓋２は図１及び図２に示すように、下方開口の蓋ケース５に入力側ケーブルを脱着可能な入力側端子６と、出力側ケーブルを脱着可能な出力側端子７が形成され、蓋ケース５の内側で入力側端子６の内側に金属製の入力側ターミナル端子８が配置され、蓋ケース５の内側で出力側端子７の内側に金属製の出力側ターミナル端子９が配置され、蓋ケース５の天井面内側には、樹脂製の下方開口の細長カバー１２が配置されており、該カバー１２の内側に金属製の細長帯状の短絡材１０が配置され、アルミダイカストとか他の金属製の蓋ケース５に接触しないようにしてある。
【００１０】
短絡材１０は軸方向両端部１０ａ、１０ｂが下向きに傾斜する細長の板バネであり、タップオフ本体３を取付けない状態では一端が入力側ターミナル端子８に押付けられて接触し、他端が出力側ターミナル端子９に押付けられて接触して、入力側端子６に装着される入力側同軸ケーブルの中心導体−入力側端子６−入力側ターミナル端子８−短絡材１０−出力側ターミナル端子９−出力側端子７−出力側同軸ケーブルの中心導体の導通系路が確保されるようにしてある（図５参照）。
【００１１】
この実施形態では報知器１６としてＬＥＤが使用されている。ＬＥＤは図５（ａ）に示すように、短絡材１０に電気的に接続されている。ＬＥＤ１６は図３及び図４に示すように、前記蓋ケース５に窓１７を開口し、その窓１７内に配置されて外部から点灯が確認できるようにしてある。また、ＬＥＤ１６は高周波信号によって発光するＬＥＤであって、図５（ａ）に示すように電源電圧（低周波）をカットして高周波信号だけを通過させるフィルタ回路１８を経由して短絡材１０と電気的に接続されている。フィルタ回路１８はコンデンサＣを備えている。
【００１２】
ＬＥＤ１６は電源電圧（低周波）によって発光するものであってもよく、その場合はフィルタ回路１８を図５（ｂ）のようにチョークコイルＬを備える回路とし、短絡材１０に流れる高周波信号をカットして電源電圧（低周波）だけを通過させるものとする。その場合は、短絡材１０に高周波信号及び電源電圧が流れると、フィルタ回路１８が高周波信号をカットして電源電圧（低周波）だけを通過させ、その電源電圧（低周波）によってＬＥＤ１６が点灯する。
【００１３】
ＬＥＤ１６の発光色は任意の色とすることができる。ＬＥＤ１６には高輝度のものを用いると目に付き易い。
【００１４】
前記入力側ターミナル端子８は入力側端子６に装着される入力側同軸ケーブルの中心導体が挿入されるとその中心導体と導通状態となり、出力側ターミナル端子９は出力側端子７に装着される出力側同軸ケーブルの中心導体が挿入されるとその中心導体と導通状態となるようにしてある。金属製の入力側ターミナル端子８及び出力側ターミナル端子９は、図２に示すように蓋ケース５の内側に取付けられている樹脂製の保持具１１に内蔵されて、アルミダイカストとか他の金属製の蓋ケース５に接触しないようにしてある。
【００１５】
前記短絡材１０の軸方向両端側下方には２本の押し具１３ａ、１３ｂが上下にスライド可能に配置されている。この押し具１３ａ、１３ｂは樹脂製のピン状であり、図３、図４に示すように、蓋ケース５の内側に取付けられている樹脂製の支持具１４の差込孔１５に縦向きに差し込まれて上下にスライド可能としてあり、しかも、自重で降下しても支持具１４から抜け落ちないようにするため、短絡材１０側（上端側）の径を支持具１４の差込孔１５の径よりも大きくし、下端側の径をその差込孔１５に差込可能になるように細くしてある。
【００１６】
前記タップオフ本体３は図１に示すように、アルミダイカストとか他の金属製の本体ケース２０の底面に分岐端子２１が突設され、本体ケース２０の上面にプリント基板２２が取付けられている。プリント基板２２にはチョークコイル、コンデンサ、抵抗等の電子部品が搭載され、それらが結線されて、高周波信号が通る高周波系路、電源電圧が通る電源電圧系路といった、タップオフとして必要な各種回路や系路が形成されている。
【００１７】
タップオフの電気回路の基本構成は図５に示すように、入力側端子６と出力側端子７との間に分岐器２４が接続され、その分岐器２４に二分配器２５を介して分岐端子２１が接続されている。また、分岐器２４の上流側と入力側端子６との間にコンデンサＣ1を、分岐器２４の下流側と出力側端子７との間にコンデンサＣ2を接続して、電源電圧（低周波）をカットして高周波信号だけが通過できる高周波系路２６が形成され、入力側端子６と出力側端子７との間に並列にチョークコイルＬを入れて、高周波信号をカットして電源電圧だけが通過できる電源電圧系路２７が形成されている。
【００１８】
プリント基板２２には、図３に示すように、金属製の電極２３ａ、２３ｂが２本突設されている。この電極２３ａ、２３ｂは、タップオフ本体３を蓋２に装着すると入力側ターミナル端子８、出力側ターミナル端子９に挿入されて、それらターミナル端子８、９を介して、入力側端子６に接続された入力側同軸ケーブル、出力側端子７に接続された出力側同軸ケーブルの中心導体と接触するようにしてある。この場合、入力側端子６に入力された高周波信号及び電源電圧のうち、高周波信号は図５の高周波系路２６を通って出力側端子７に出力されると共に分岐器２４で分岐されて分岐端子２１にも出力され、電源電圧は図５の電源電圧系路２７を通って出力側端子７に出力されるようにしてある。
【００１９】
前記蓋２にタップオフ本体３を取付けると、図３に示すように、蓋２の押し具１３ａ、１３ｂがタップオフ本体３のプリント基板２２によって押し上げられ、短絡材１０の軸方向両端部１０ａ、１０ｂが押し具１３ａ、１３ｂにより押し上げられて、入力側ターミナル端子８、出力側ターミナル端子９から離されて、短絡材１０は入力側端子６、出力側端子７から電気的に切り離される。このとき、タップオフ本体３の電極２３ａ、２３ｂが、入力側ターミナル８、出力側ターミナル９のそれぞれに挿入されて、タップオフ本体３の高周波系路２６と電源電圧系路２７が蓋２の入力側端子６と出力側端子７に接触する。このため、ＬＥＤ１６が点灯せず、高周波系路２６と電源電圧系路２７が蓋２の入力側端子６と出力側端子７に接触したことを確認することができる。
【００２０】
蓋２からタップオフ本体３を取り外すと、図４に示すように、短絡材１０の軸方向両端側の押し上げが解除されて、短絡材１０の軸方向両端側１０ａ、１０ｂが、短絡材１０自身のバネ力によって下方へ押付けられて入力側ターミナル端子８及び出力側ターミナル端子９に接触するようにしてある。この場合、短絡材１０は入力側端子６と出力側端子７とを短絡し、短絡材１０には高周波信号及び電源電圧が流れ、ＬＥＤ１６は点灯する。
【００２１】
また、蓋２にタップオフ本体３を取付ける際に、取付けが確実でなく、短絡材１０が入力側端子６、出力側端子７から電気的に切り離されていない場合には、ＬＥＤ１６が点灯したままとなるため、すぐにタップオフ本体３を確実に取付けなおすことができる。蓋２にタップオフ本体３を確実に取付けると、タップオフ本体３の高周波系路２６と電源電圧系路２７が蓋２の入力側端子６と出力側端子７に接触して、短絡材１０は入力側端子６、出力側端子７から電気的に切り離され、ＬＥＤ１６が点灯しなくなるので、確実に取付けられたことを外部から一目で確認することができる。
【００２２】
（その他の実施形態）
前記実施形態１においては、ＬＥＤ１６の設置位置は、蓋ケース５に窓１７を開口し、その窓１７内に備えられて外部から発光が確認できるようにして備えたが、ＬＥＤの設置位置は、これには限られず、ＬＥＤの点灯及び消灯を確認可能であれば、蓋ケースの外部等任意の位置に設置することができる。また、ＬＥＤの数も一個に限られず、二個以上とすることも可能である。
【００２３】
また、前記実施形態１においては、短絡材１０が蓋の入力側端子６と出力側端子７の双方に接触していることの報知機器としてＬＥＤ１６を用いたが、機器本体の高周波系路と電源電圧系路が蓋の入力側端子と出力側端子に接触したことを確認可能であれば、ＬＥＤには限られず、その他のランプや電球等の任意の発光機器や、ブザー等の音発生機器等の任意の報知器を用いることが可能である。
【００２４】
また、前記実施形態１においては、ＬＥＤ１６を、フィルタ回路１８を介して短絡材１０と電気的に接続して、短絡材１０を流れる高周波信号又は電源電圧によってＬＥＤ１６を点灯させたが、機器本体の高周波系路と電源電圧系路が蓋の入力側端子と出力側端子に接触したことを確認可能な報知器のための電源を別途備えることも可能である。
【００２５】
前記した実施形態は下り信号を伝送し、電源電圧を上流側からＣＡＴＶ機器に供給する場合であるが、本発明はそれとは逆に、上り信号を伝送し、電源電圧を下流側からＣＡＴＶ機器に供給する場合にも適用できる。その場合は前記実施例における入力側端子が出力側端子になり、出力側端子が入力側端子になる。
【産業上の利用可能性】
【００２６】
本発明のＣＡＴＶ機器は、タップオフ以外のＣＡＴＶ機器に利用することができる。
【図面の簡単な説明】
【００２７】
【図１】本発明のＣＡＴＶ機器の実施形態の一例であるタップオフの分解斜視図。
【図２】図１に示すＣＡＴＶ機器の内部の様子を示す部分内面図。
【図３】図１に示すＣＡＴＶ機器の短絡材が押し上げられた状態を示す断面説明図。
【図４】図１に示すＣＡＴＶ機器の短絡材の押し上げが解除された状態を示す断面説明図。
【図５】（ａ）は図１に示すＣＡＴＶ機器の蓋及び機器本体の電気回路の基本構成を示す説明図。（ｂ）は（ａ）に示すＬＥＤ及びフィルタ回路の他の例を示す説明図。
【図６】従来のＣＡＴＶ機器の使用の様子を示す縦断面図であり、（ａ）は短絡材が機器本体で押し上げられた状態の縦の断面図、（ｂ）は機器本体が蓋から取り外されて短絡材が降下した状態の縦断面図である。
【符号の説明】
【００２８】
１  タップオフ
２  蓋
３  タップオフ本体
４  螺子
５  蓋ケース
６  入力側端子
７  出力側端子
１０  短絡材
１３  押し具
１６  ＬＥＤ
１８  フィルタ回路
【図１】
2005167673.tif 000003
【図２】
2005167673.tif 000004
【図３】
2005167673.tif 000005
【図４】
2005167673.tif 000006
【図５】
2005167673.tif 000007
【図６】
2005167673.tif 000008